(57)【要約】【課題】  一着で複数のアイテムやジャンルなどへのコーディネイトが可能なニットウエアを提供する。【解決手段】  ニットウエア１は、基本的に、筒状編地２を中心とする編地で形成している。筒状編地２は、二重に折返し可能な長さを有し、軸線２ａの両端が開口している。軸線２ａの方向の一方側はスカート部３であり、他方側がインナー部４である。スカート部３とインナー部４とは、下縁となる折返し部分５で折返して二重の筒形状となるスカートを形成する。コーディネイト例１Ａでは、インナー部４の先端を胸元まで引上げ、ベアトップドレスとして着こなすことができ、帯状編地６，７の使い方で、コーディネイト例１Ｂ，１Ｃに変化させることができる。コーディネイト例１Ｂは、帯状編地６，７を背側から肩に掛け、前側で止め、コーディネイト例１Ｃは、結び部８で締結して縛るようにしている。【選択図】  図１
2010059564.tif 000002
【特許請求の範囲】
【請求項１】
折返して二重に重ねられ、折返し部分がスカートの下縁となる筒状編地と、
筒状編地の開口端部に接続されて、筒状編地の軸線方向に延びる帯状編地とを、
含むことを特徴とするニットウエア。
【請求項２】
前記筒状編地は、
中間で径が大きく、上下で径が絞られるバルーンスカート部と、
バルーンスカート部の内側に折返されるインナー部とを、
含むことを特徴とする請求項１記載のニットウエア。
【請求項３】
前記帯状編地は、二本設けられて、肩に掛けることが可能であることを特徴とする請求項１または２記載のニットウエア。
【発明の詳細な説明】
【技術分野】
【０００１】
本発明は、複数の形態でのコーディネイトが可能なニットウエアに関する。
【背景技術】
【０００２】
従来から、セーターなどのニットウエアでは、表裏を逆にしての着用が可能であるように、プレーティング編成でリバーシブルな衣類として製造しておくことが知られている。一着の衣服を複数の衣服と同様に使用することが可能であれば、経済的であり、特に、旅行時などでは、携行する荷物量の軽減にも寄与する。
【０００３】
一着の衣服で複数の衣服と同様に使用しようとする考え方は、リバーシブルで表裏を逆にすることばかりが知られているわけではない。下着として着用する角度を変えれば、三通りに着用可能になることが提案されている（たとえば、特許文献１参照）。また、前後を逆にすることで、シャツとして二通りに着用可能になることも提案されている（たとえば、特許文献２参照）。本件出願人は、衣服の上下や前後を逆にすることで、衣服として複数通りに着用可能になることを提案している（たとえば、特許文献３参照）。
【特許文献１】実開平６−４００３号公報
【特許文献２】特開平１１−９３００２号公報
【特許文献３】特開２００８−１２７７０１号公報
【発明の開示】
【発明が解決しようとする課題】
【０００４】
従来からの一着の衣服を複数通りに着用する考え方は、衣服としては基本的に同一の役割を果すアイテムとしての範囲内であり、デザインや絵柄を変更するのが一般的である。したがって、たとえば日常に使うスカートやセーターと、パーティなどの特別な機会に使うイブニングドレスなど、アイテムやジャンルが異なる複数のコーディネイトは、一着の衣服では不可能である。
【０００５】
本発明の目的は、一着で複数のアイテムやジャンルなどへのコーディネイトが可能なニットウエアを提供することである。
【課題を解決するための手段】
【０００６】
本発明は、折返して二重に重ねられ、折返し部分がスカートの下縁となる筒状編地と、
筒状編地の開口端部に接続されて、筒状編地の軸線方向に延びる帯状編地とを、
含むことを特徴とするニットウエアである。
【０００７】
また本発明で、前記筒状編地は、
中間で径が大きく、上下で径が絞られるバルーンスカート部と、
バルーンスカート部の内側に折返されるインナー部とを、
含むことを特徴とする。
【０００８】
また本発明で、前記帯状編地は、二本設けられて、肩に掛けることが可能であることを特徴とする。
【発明の効果】
【０００９】
本発明によれば、筒状編地は、折返しで二重に重ねることで、折返し部分が下縁となるので、折返しの位置を変えれば、複数通りに着こなすことができるスカートを実現することができる。スカートの内側となる筒状編地は、外側よりも上の胸元まで引上げてベアトップドレスとしたり、内側を外側の下にしてインナーとしたりすることが可能である。また、折返す位置で、スカートとしての丈を変えることもできる。帯状編地も、紐状のベルトにして胴に巻付けたり、広げて肩に掛けたり胸元を覆うような着こなしが可能である。このような筒状編地と帯状編地との位置関係で着丈の長さを調整し、多様に組合せて、一着で複数のアイテムやジャンルなどの形態へのコーディネイトを可能にすることができる。
【００１０】
また本発明によれば、内側に折返す部分をインナーとする二重のバルーンスカートを有するニットウエアとして、多様にコーディネイトすることができる。
【００１１】
また本発明によれば、帯状編地を肩に掛けたり、背中側や胸側で交差や交絡させたりして、多様にコーディネイトすることができる。
【発明を実施するための最良の形態】
【００１２】
図１は、本発明の実施の一形態としてのニットウエア１の概略的な構成と、基本的な着こなし方の変化としてのコーディネイト例１Ａ，１Ｂ，１Ｃを示す。ニットウエア１は、基本的に、筒状編地２を中心とする編地で形成している。筒状編地２は、二重に折返し可能な長さを有し、軸線２ａ方向の両端が開口している。軸線２ａ方向の一方側はスカート部３であり、他方側はたとえば２×２リブ組織で編成するインナー部４である。スカート部３とインナー部４とは、下縁となる折返し部分５で折返して二重の筒形状となるスカートを形成する。スカートの外側と内側との境界は折返し部分５であり、折返し部分５の位置は、軸線２ａ方向に変更しうる。折返し部分５の位置によっては、スカート部３の一部が内側となったり、インナー部４の一部が外側となったりしうる。
【００１３】
スカート部３側の開口の端部からは、二本の帯状編地６，７が軸線２ａ方向に延びるように設けられている。帯状編地６，７は、巻付けの可能な幅と長さを持つ一対の帯であり、広げて胸元を覆ったり、細くまとめて紐状のベルトとして使用したりすることができる。帯状編地６，７で胸元や肩を覆ってから、先端部分を紐状にしてスカート部３の上部に巻付けて縛れば、ワンピースのドレスとして着こなすことができる。また、帯状編地６，７は、インナー部４の開口の端部の方に設けたり、スカート部３とインナー部４との両方に設けたりすることもできる。
【００１４】
コーディネイト例１Ａでは、インナー部４の先端を胸元まで引上げ、ベアトップドレスとして着こなすことができる。インナー部４はリブ編地であるので、伸縮性があり、体にフィットさせてずり落ちにくくすることができる。インナー部４を編成する編糸として弾性糸を使用したりすれば、さらにフィット感が高まり、ずり落ちることなく、胸元で止めることができる。
【００１５】
コーディネイト例１Ａからは、帯状編地６，７の使い方で、コーディネイト例１Ｂ，１Ｃに変化させることができる。コーディネイト例１Ｂは、帯状編地６，７を背側から肩に掛け、前側で止めるようにしている。ファスナーやボタンを設けておけば、容易に止めることができる。コーディネイト例１Ｃは、帯状編地６，７を紐状にして、結び部８で締結して縛るようにしている。
【００１６】
図２は、図１のニットウエア１を、歯口を挟んで前後一対の針床を備える横編機で編成する場合の型紙の例を示す。コンピュータ制御される横編機では、型紙に従って編成データを作成すれば、編地の編成が自動的に行われる。
【００１７】
ニットウエア１は、ニットウエア型紙１１に基づいて、たとえば図の下から上の方向に編成する。ニットウエア型紙１１は、筒状編地２をスカート部型紙１３ａ，１３ｂとインナー部型紙１４ａ，１４ｂとに分割される。帯状編地６，７は、帯状部型紙１６，１７に基づいて編成する。たとえば、スカート部型紙１３ａおよびインナー部型紙１４ａに基づく編地は、前針床で表目を編成するように針床を割当てる。スカート部型紙１３ｂおよびインナー部型紙１４ｂに基づく編地は、後針床で表目を編成する。前後の針床で表目を編成する編地は、編幅の両側で連結して、筒状となる。帯状部型紙１６，１７に基づく編地は、たとえば後針床で編成する。
【００１８】
ニットウエア１は、ニットウエア型紙１１に基づいて一体的に無縫製で編成することができるけれども、各型紙に基づく個別のパーツを縫製して形成することもできる。また、スカート部型紙１３ａ，１３ｂやインナー部型紙１４ａ，１４ｂに基づく編地を、図の横方向に連続する状態で編成し、筒状に丸めて編幅の両側を縫合することもできる。なお、ニットウエア１の編成方向は、本実施の形態の逆方向、すなわち、図の上から下の方向も可能である。さらに、ニットウエア１の筒状編地２を丸編機などで編成し、帯状編地６，７を縫い付けることもできる。
【００１９】
スカート部型紙１３ａ，１３ｂは、バルーンスカートに対応し、中間部分がふくらみ部２０ａ，２０ｂとなり、上部が縮小部２１ａ，２１ｂとなり、下部が拡大部２２ａ，２２ｂとなる。図の下から上に編成すると、拡大部２２ａ，２２ｂに基づく編地では径が拡大してふくらみ部２０ａ，２０ｂに基づいて編成される編地に至る。ふくらみ部２０ａ，２０ｂに基づく編地からは、縮小部２１ａ，２１ｂに基づく編地を経て径が縮小する。
【００２０】
インナー部型紙１４ａ，１４ｂに基づくインナー部４の編地では、２×２リブ組織で形成されているとともに、ゴム糸を通すための袋編み部２４ａ，２４ｂを先端部に設けておく。この先端部から編成を開始し、袋編み部２４ａ，２４ｂに続く編地は一定の編幅で編成する。インナー部４の終端は、スカート部型紙１３ａ，１３ｂで拡大部２２ａ，２２ｂに基づく編地の端部に続く。ただし、着こなし上のスカート部３とインナー部４との境界は、折返し部分５を設ける位置であり、インナー部型紙１４ａ，１４ｂに基づく編地側にも、スカート部型紙１３ａ，１３ｂの拡大部２２ａ，２２ｂに基づく編地側にも移動しうることになる。
【００２１】
帯状部型紙１６，１７に基づいて編成される帯状編地６，７は、縮小部２１ａ，２１ｂに基づく編地で径が縮小した端部に接続して編成される。接続部２５，２６はスカート部３との繋がりをスムーズにするため、編幅を帯状編地６，７よりも広くしておき、徐々に狭めている。接続部２５，２６の編幅を広くすることによって、胸元を覆うような着こなしも可能になる。帯状部型紙１６，１７の側端２７，２８は、ガーター組織で編成し、帯状編地６，７の側端部の巻き防止を図る。
【００２２】
図３、図４、図５、図６、図７および図８は、図２のニットウエア型紙１１に基づいて横編機で編成した編地を、マネキン３０に着せたコーディネイト例３１Ａ，３１Ｂ，３１Ｃ；４１Ａ，４１Ｂ；５１Ａ，５１Ｂ；６１Ａ；７１Ａ；８１Ａ，８１Ｂをそれぞれ示す。各コーディネイト例の参照符のうちで数字に付加されている符号のＡは、正面側から見た状態を示し、Ｂ，Ｃは背面側から見た状態を示す。編地は、無地であるけれども、インクジェットプリンタなどで柄をプリントして用いることもできる。また、編成を、異なる色の編糸を使用して色柄を表現したり、素材の異なる編糸を使用したり、編組織に変化を付けて柄を表現することも可能である。
【００２３】
図３は、図１にニットウエア１として示すワンピースドレスに対応する着こなしを示す。コーディネイト例３１Ａでは、帯状編地６，７は正面側で胸元を覆ってから肩に掛り、背面を通ってから紐状となって胴を縛り、正面側では交絡部３２で相互に絡めてから折返して交絡させる。紐状の帯状編地６，７は、交絡ではなく、交差させることもできる。背面側では、コーディネイト例３１Ｂとコーディネイト例３１Ｃとを使い分けることができる。コーディネイト例３１Ｂでは、帯状編地６，７を交差部３３で交差させる。交差後の帯状編地６，７は、紐状にしてスカート部３の上部に巻付け、結び部３４で結びつける。コーディネイト例３１Ｃでは、帯状編地６，７を交絡部３５で交絡させ、互いに折返して、紐状にしてスカート部３の上部に巻付け、結び部３４で結びつける。帯状編地６，７が背面側で、コーディネイト例３１Ｂのように交差する場合と、コーディネイト例３１Ｃのように交絡する場合とで、イメージを変えることができる。
【００２４】
図４は、インナー付きのバルーンスカートとして着こなす例を示す。インナー部４は、スカート部３の内側になり、二重の筒状でバルーンスカートが形成される。帯状編地６，７は、紐状にして腰回りに巻付ける。コーディネイト例４１Ａに示すように、正面側には交絡部４２を設けて紐状の帯状編地６，７を交絡させたり、交差させたりすることができる。コーディネイト例４１Ｂに示すように、背面側では、紐状の帯状編地６，７を結び部４３で結びつける。このようにスカートとして使用する場合は、上半身にはブラウスやセーター、カーディガンなどを着用して、日常の使用にも対応させることができる。
【００２５】
図５は、背中が大きく開くホールターネックドレスとして着こなす例を示す。コーディネイト例５１Ａとして示すように、正面側は、前身頃に配置した帯状編地６，７が腹部より伸び、首の後で交絡して折返し、腕の付け根の前側を通って、再び背面側に廻り込む。帯状編地６，７先端部分は紐状となって腰周りを縛り、結び部５２を設けて結びつけられる。背面側では、コーディネイト例５１Ｂに示すように、帯状編地６，７が首の後の交絡部５３で交絡してから正面側に移行し、脇下を通って腰回りまで巻付けられる途中の交差部５４で交差する。
【００２６】
図６は、胸元を大きく開けてＶネックドレスとして着こなす例を示す。コーディネイト例６１Ａでは、図３のコーディネイト例３１Ａよりも帯状編地６，７の分岐位置を下げる必要があり、たとえば、同じようなスカート丈にするには、二重の筒形状の内側となるインナー部４の端部の位置を上げて、外側となるスカート部３の位置を下げる。背面側は、帯状編地６，７を、図３のコーディネイト例３１Ｂ，３１Ｃのように交差させたり、交絡させたりすることができる。結び部６２は正面側に設けているけれども、背面側や側面側に設けることもできる。
【００２７】
図７は、帯状編地６，７を片側の肩のみに掛けるワンショルダードレスとしての着こなしを示す。コーディネイト例７１Ａに示すように、帯状編地６，７の先端の結び部７２は、正面側に設けているけれども、背面側に設けることもできる。
【００２８】
図８は、インナー部４の先端を胸元まで引上げて、ベアトップドレスとして着こなす例を示す。図２のインナー部型紙１４ａ，１４ｂに示すように、インナー部４の先端にゴム糸用の袋編み部２４ａ，２４ｂを編成し、ゴム糸などを挿入しておけば、体にフィットしてずり落ちにくくなる。帯状編地６，７は、紐状にして腰回りに巻付ける。コーディネイト例８１Ａに示すように、帯状編地６，７の先端は、正面側の結び部８２で結びつけることができるけれども、背面側で結びつけることもできる。コーディネイト例８１Ｂに示すように、帯状編地６，７が重なる部分は、交差部８３で交差させたり、交絡させたりすることもできる。
【００２９】
以上のように、ニットウエア１は、日常に使用するスカートや、フォーマルな各種ドレスなど、一着でアイテムやジャンルが異なる複数のコーディネイトが可能となる。着用時には、折返し部分５の位置で、スカート部３としての着丈を調整したり、コーディネイト例８１Ａ，８１Ｂで胸元に引上げるインナー部４の先端の高さを調整したりして、基本スタイルからスカート丈などを変化させて、更なるバリエーションを実現することができる。また、バリエーションとしては、編地をリバーシブルにしたりすることもできる。
【図面の簡単な説明】
【００３０】
【図１】本発明の実施の一形態としてのニットウエア１の概略的な構成と、基本的な着こなし方の変化としてのコーディネイト例１Ａ，１Ｂ，１Ｃを示す簡略化した斜視図である。
【図２】図１のニットウエア１を、横編機で編成する場合の型紙の例を示す図である。
【図３】図１のニットウエア１を、ワンピースドレスとして着こなす例を示す正面図および背面図である。
【図４】図１のニットウエア１を、インナー付きのバルーンスカートとして着こなす例を示す正面図および背面図である。
【図５】図１のニットウエア１を、背中が大きく開くホールターネックドレスとして着こなす例を示す正面図および背面図である。
【図６】図１のニットウエア１を、胸元を大きく開けてＶネックドレスとして着こなす例を示す正面図である。
【図７】図１のニットウエア１を、帯状編地６，７を片側の肩のみに掛けるワンショルダードレスとして着こなす例を示す正面図である。
【図８】図１のニットウエア１を、インナー部４の先端を胸元まで引上げて、ベアトップドレスとして着こなす例を示す正面図および背面図である。
【符号の説明】
【００３１】
１  ニットウエア
１Ａ，１Ｂ，１Ｃ；３１Ａ，３１Ｂ，３１Ｃ；４１Ａ，４１Ｂ；５１Ａ，５１Ｂ；６１Ａ，７１Ａ；８１Ａ，８１Ｂ  コーディネイト例
２  筒状編地
３  スカート部
４  インナー部
５  折返し部分
６，７  帯状編地
【図１】
2010059564.tif 000003
【図２】
2010059564.tif 000004
【図３】
2010059564.tif 000005
【図４】
2010059564.tif 000006
【図５】
2010059564.tif 000007
【図６】
2010059564.tif 000008
【図７】
2010059564.tif 000009
【図８】
2010059564.tif 000010